(57)【特許請求の範囲】
【請求項１】
先端に相手コネクタ用の挿入口が開口された樹脂成形体のボデー本体と、当該ボデー本体内に組み込まれた複数の金属製コンタクトと、前記ボデー本体の一方の外側に被覆される概略Ｕ字形の分割メインシエルと、前記ボデー本体の他方の外側に被覆される概略Ｕ字形の分割サブシエルとからなり、
前記ボデー本体の先端外周には鍔部を形成すると共に、当該鍔部の対向する外側面にはボデー本体の長手方向に貫通される第１及び第２の係合溝を形成し、かつ、当該第１及び第２の係合溝の外側面と隣接する前記鍔部の対向する外側面にも、少なくとも１個の第３及び第４の係合溝を形成し、さらに、前記第１及び第２の係合溝の形成された前記ボデー本体の後端寄りには第１及び第２の係合突起を形成する一方、
前記分割メインシエルの前記ボデー本体の先端側に沿設される先端縁部には前記第１及び第２の係合溝と嵌合される第１及び第２の嵌合片を形成すると共に、前記第３の係合溝を嵌合される第３の嵌合片を形成し、かつ、その中程の両外側縁部には前記第１及び第２の係合突起と嵌合される第１及び第２の切欠嵌合部を形成し、さらに、後端寄りの概略Ｕ字形の両折返し部には第１及び第２の切抜係止爪を形成し、
また、前記分割サブシエルの前記ボデー本体の先端側に沿設される先端縁部には前記第１及び第２の係合溝と嵌合される第１及び第２の嵌合片を形成すると共に、前記第４の係合溝を嵌合される第４の嵌合片を形成し、かつ、その中程の両外側縁部には前記第１及び第２の係合突起と嵌合される第１及び第２の切欠嵌合部を形成し、さらに、後端寄りの概略Ｕ字形の両折返し部には前記第１及び第２の切抜係止爪と係合される第１及び第２の係止穴を形成することを特徴とする電気コネクタ。
【請求項２】
先端に相手コネクタ用の挿入口が開口された樹脂成形体のボデー本体と、当該ボデー本体内に組み込まれた複数の金属製コンタクトと、前記ボデー本体の一方の外側に被覆される概略Ｕ字形の分割メインシエルと、前記ボデー本体の他方の外側に被覆される概略Ｕ字形の分割サブシエルとからなり、
前記ボデー本体の先端外周には鍔部を形成すると共に、当該鍔部の対向する外側面にはボデー本体の長手方向に貫通される第１及び第２の係合溝を形成し、かつ、当該第１及び第２の係合溝の外側面と隣接する前記鍔部の対向する外側面にも、少なくとも１個の第３及び第４の係合溝を形成し、さらに、前記第１及び第２の係合溝の形成された前記ボデー本体の後端寄りには第１及び第２の係合突起を形成する一方、
前記分割メインシエルの前記ボデー本体の先端側に沿設される先端縁部には前記第１及び第２の係合溝と嵌合される第１及び第２の嵌合片を形成すると共に、前記第３の係合溝を嵌合される第３の嵌合片を形成し、かつ、その中程の両外側縁部には前記第１及び第２の係合突起と嵌合される第１及び第２の切欠嵌合部を形成し、さらに、後端寄りの概略Ｕ字形の両折返し部には第１及び第２の係止穴を形成し、
また、前記分割サブシエルの前記ボデー本体の先端側に沿設される先端縁部には前記第１及び第２の係合溝と嵌合される第１及び第２の嵌合片を形成すると共に、前記第４の係合溝を嵌合される第４の嵌合片を形成し、かつ、その中程の両外側縁部には前記第１及び第２の係合突起と嵌合される第１及び第２の切欠嵌合部を形成し、さらに、後端寄りの概略Ｕ字形の両折返し部には前記第１及び第２の係止穴と係合される第１及び第２の切抜係止爪を形成することを特徴とする電気コネクタ。
【発明の詳細な説明】
【０００１】
【発明の属する技術分野】
本発明は、相手コネクタと嵌合させて、電子機器間などを接続するための電気コネクタに関するものである。
【０００２】
【従来の技術】
電気コネクタは、通常差し込み側のプラグコネクタと受けて側のレセプタクルコネクタからなり、例えばレセプタクルコネクタ（相手コネクタ）を電子機器の基板側などに取り付け、これにコード付きのプラグコネクタを差し込み嵌合させて、電気的接続を行うことがよく行われている。
【０００３】
近年、このような電気コネクタにおいて、取り扱う信号（情報）量が多く、プラグコネクタやレセプタクルコネクタには、複数のコンタクトが高密度で収納される必要があると同時に、これらのプラグコネクタ自体やレセプタクルコネクタ自体もコンパクトで、かつ、低コストで形成される必要がある。
【０００４】
【発明が解決しようとする課題】
ところが、従来の電気コネクタにおけるプラグコネクタの場合、一般にその外側を、シエルという、シールド機能を有する金属製カバー体で覆っているわけであるが、従来、このカバー体の構造が複雑で、これ自体の製造や、このカバー体が被覆される樹脂成形体のボデー本体の成形が面倒で、コストダウンが難しいという問題があった。
【０００５】
本発明は、このような従来の実情に鑑みてなされたもので、シエルの構造自体が比較的簡単で、かつ、これが被覆されるボデー本体側の成形も容易なものとした電気コネクタを提供せんとするものである。
【０００６】
【課題を解決するための手段】
請求項１記載の本発明は、先端に相手コネクタ用の挿入口が開口された樹脂成形体のボデー本体と、当該ボデー本体内に組み込まれた複数の金属製コンタクトと、前記ボデー本体の一方の外側に被覆される概略Ｕ字形の分割メインシエルと、前記ボデー本体の他方の外側に被覆される概略Ｕ字形の分割サブシエルとからなり、
前記ボデー本体の先端外周には鍔部を形成すると共に、当該鍔部の対向する外側面にはボデー本体の長手方向に貫通される第１及び第２の係合溝を形成し、かつ、当該第１及び第２の係合溝の外側面と隣接する前記鍔部の対向する外側面にも、少なくとも１個の第３及び第４の係合溝を形成し、さらに、前記第１及び第２の係合溝の形成された前記ボデー本体の後端寄りには第１及び第２の係合突起を形成する一方、
前記分割メインシエルの前記ボデー本体の先端側に沿設される先端縁部には前記第１及び第２の係合溝と嵌合される第１及び第２の嵌合片を形成すると共に、前記第３の係合溝を嵌合される第３の嵌合片を形成し、かつ、その中程の両外側縁部には前記第１及び第２の係合突起と嵌合される第１及び第２の切欠嵌合部を形成し、さらに、後端寄りの概略Ｕ字形の両折返し部には第１及び第２の切抜係止爪を形成し、
また、前記分割サブシエルの前記ボデー本体の先端側に沿設される先端縁部には前記第１及び第２の係合溝と嵌合される第１及び第２の嵌合片を形成すると共に、前記第４の係合溝を嵌合される第４の嵌合片を形成し、かつ、その中程の両外側縁部には前記第１及び第２の係合突起と嵌合される第１及び第２の切欠嵌合部を形成し、さらに、後端寄りの概略Ｕ字形の両折返し部には前記第１及び第２の切抜係止爪と係合される第１及び第２の係止穴を形成することを特徴とする電気コネクタにある。
【０００７】
請求項２記載の本発明は、先端に相手コネクタ用の挿入口が開口された樹脂成形体のボデー本体と、当該ボデー本体内に組み込まれた複数の金属製コンタクトと、前記ボデー本体の一方の外側に被覆される概略Ｕ字形の分割メインシエルと、前記ボデー本体の他方の外側に被覆される概略Ｕ字形の分割サブシエルとからなり、
前記ボデー本体の先端外周には鍔部を形成すると共に、当該鍔部の対向する外側面にはボデー本体の長手方向に貫通される第１及び第２の係合溝を形成し、かつ、当該第１及び第２の係合溝の外側面と隣接する前記鍔部の対向する外側面にも、少なくとも１個の第３及び第４の係合溝を形成し、さらに、前記第１及び第２の係合溝の形成された前記ボデー本体の後端寄りには第１及び第２の係合突起を形成する一方、
前記分割メインシエルの前記ボデー本体の先端側に沿設される先端縁部には前記第１及び第２の係合溝と嵌合される第１及び第２の嵌合片を形成すると共に、前記第３の係合溝を嵌合される第３の嵌合片を形成し、かつ、その中程の両外側縁部には前記第１及び第２の係合突起と嵌合される第１及び第２の切欠嵌合部を形成し、さらに、後端寄りの概略Ｕ字形の両折返し部には第１及び第２の係止穴を形成し、
また、前記分割サブシエルの前記ボデー本体の先端側に沿設される先端縁部には前記第１及び第２の係合溝と嵌合される第１及び第２の嵌合片を形成すると共に、前記第４の係合溝を嵌合される第４の嵌合片を形成し、かつ、その中程の両外側縁部には前記第１及び第２の係合突起と嵌合される第１及び第２の切欠嵌合部を形成し、さらに、後端寄りの概略Ｕ字形の両折返し部には前記第１及び第２の係止穴と係合される第１及び第２の切抜係止爪を形成することを特徴とする電気コネクタにある。
【０００８】
【発明の実施の形態】
図１〜図１４は本発明に係る電気コネクタの全体及びその構成部分を示し、図１５〜１８は樹脂製外装及びコードの付された状態を示し、図１９はその使用状態の一例を示したものである。
図中、１００は樹脂成形体のボデー本体、２００はボデー本体１００内に組み込まれた複数の金属製コンタクト、３００はボデー本体１００の一方の外側に被覆される概略Ｕ字形の分割メインシエル、４００はボデー本体１００の他方の外側に被覆される概略Ｕ字形の分割サブシエルである。
【０００９】
上記ボデー本体１００は、図１〜図５に示すように、概略直方体形状で、その先端外周には鍔部１１０を形成すると共に、この鍔部１１０の対向する外側面（図１中の上下面）にはボデー本体１００の長手方向に貫通される第１及び第２の係合溝１１１，１１２を形成し、かつ、この第１及び第２の係合溝１１１，１１２の外側面と隣接する鍔部１１０の対向する外側面（図１中の前方及び手前の側面）にも、ボデー本体１００の長手方向にそれぞれ２個ずつ（１個、３個以上も可）の第３及び第４の係合溝１１３，１１４を形成し、さらに、上記第１及び第２の係合溝１１１，１１２の形成されたボデー本体１００の後端寄りには第１及び第２の係合突起１２１，１２２を形成してある。
【００１０】
また、このボデー本体１００内部の長手方向には、図６に示すように、コンタクト用の収納スペースＳを形成すると共に、その先端には相手コネクタ用の挿入口１３０を開口させてある。そして、図４に示すように、この挿入口１３０の縦方向（図４中のＸ方向）の対向する内側面には、片側３個ずつ６個の金属製コンタクト２００を装着させてある。この金属製コンタクト２００は、図６から明らかなように、その接触部２１１を挿入口１３０側に位置させると共に、その中途部分の固定部２１２を収納スペースＳの内壁面に固定させる一方、接触部２１１と反対側のリード線用の接続部２１３を、上記ボデー本体１００の後端から延設された延設肉薄部１４０の外側に配置させてある。
【００１１】
上記分割メインシエル３００は、アルミ板などの金属製曲げ加工片からなり、図７〜図９に示すように、上記ボデー本体１００の先端側に沿設される概略Ｕ字形の両折返し部３０１，３０２の先端縁部には上記第１及び第２の係合溝１１１，１１２と嵌合される第１及び第２の嵌合片３１１，３１２を形成すると共に、同じく概略Ｕ字形の水平部３０３の先端縁部には上記第３の係合溝１１３，１１３を嵌合されるそれぞれ２個ずつ（１個、３個以上も可）の第３の嵌合片３１３，３１３を形成し、かつ、その中程の両折返し部３０１，３０２の外側縁部には上記第１及び第２の係合突起１２１，１２２と嵌合される第１及び第２の切欠嵌合部３２１，３２２を形成し、さらに、後端寄りの概略Ｕ字形の両折返し部３０１，３０２には第１及び第２の切抜係止爪３３１，３３２を形成し、さらに、必要により、最後端部にはリード線結束用の延設挟持部３４０を湾曲片として形成し、また、概略Ｕ字形の水平部３０３の先端寄りの中央部には半球状突起３５０を形成してある。
【００１２】
一方、上記分割サブシエル４００も、アルミ板などの金属製曲げ加工片からなり、図１０〜図１２に示すように、上記ボデー本体１００の先端側に沿設される概略Ｕ字形の両折返し部４０１，４０２の先端縁部には上記第１及び第２の係合溝１１１，１１２と嵌合される第１及び第２の嵌合片４１１，４１２を形成すると共に、同じく概略Ｕ字形の水平部４０３の先端縁部には上記第４の係合溝１１４，１１４を嵌合されるそれぞれ２個ずつ（１個、３個以上も可）の第４の嵌合片４１４，４１４を形成し、かつ、その中程の両折返し部４０１，４０２の外側縁部には上記第１及び第２の係合突起１２１，１２２と嵌合される第１及び第２の切欠嵌合部４２１，４２２を形成し、さらに、後端寄りの概略Ｕ字形の両折返し部４０１，４０２には上記第１及び第２の切抜係止爪３３１，３３２と係合される第１及び第２の係止穴４３１，４３２を形成し、さらに、必要により、最後端部には当該後端の一部を部分的に塞ぐ蓋部４４１，４４２を折返し片として形成し、また、概略Ｕ字形の水平部４０３の先端寄りの中央部には半球状突起４５０を形成してある。
【００１３】
このような構成において、本発明の電気コネクタを組み立てるには、先ず、ボデー本体１００内部の収納スペースＳ部分に、図６に示すように、その挿入口１３０側から、左右３個ずつの金属製コンタクト２００を導入し、所定の位置に収納するのみで、簡単に固定することができる。
これによって、挿入口１３０の開口側には、その接触部２１１が位置されると共に、ボデー本体１００後端の延設肉薄部１４０の外側には、そのリード線用の接続部２１３が配置される。
次に、この金属製コンタクト２００の接続部２１３に、図１５に示すように、所定のケーブル５００の各芯線５０１を半田付けなどで接続する。
【００１４】
この後、図１に示すように、ボデー本体１００の左右に分割メインシエル３００と分割サブシエル４００を位置させる。
そして、例えば分割メインシエル３００をボデー本体１００の図１中の前方側の側面に沿わせ、その概略Ｕ字形の両折返し部３０１，３０２の先端縁部の第１及び第２の嵌合片３１１，３１２を、上記ボデー本体１００の第１及び第２の係合溝１１１，１１２のほぼ半分と嵌合させると共に、同じく概略Ｕ字形の水平部３０３の先端縁部の第３の嵌合片３１３，３１３を、上記ボデー本体１００の第３の係合溝１１３，１１３と嵌合させ、かつ、その中程の両折返し部３０１，３０２の外側縁部の第１及び第２の切欠嵌合部３２１，３２２を、上記ボデー本体１００の第１及び第２の係合突起１２１，１２２のほぼ半分と嵌合させ、仮り止めする。
この仮り止め作業は、概略Ｕ字形として分割メインシエル３００の弾性によって、パチンと嵌まり込む感覚でよく、極めて簡単、かつスムーズに行える。
【００１５】
次に、同様にして、分割サブシエル４００をボデー本体１００の図１中の手前側の側面に沿わせ、その概略Ｕ字形の両折返し部４０１，４０２の先端縁部の第１及び第２の嵌合片４１１，４１２を、上記ボデー本体１００の第１及び第２の係合溝１１１，１１２のほぼ半分と嵌合されると共に、同じく概略Ｕ字形の水平部４０３の先端縁部の第４の嵌合片４１４，４１４を、上記ボデー本体１００の第４の係合溝１１４，１１４と嵌合させ、かつ、その中程の両折返し部４０１，４０２の外側縁部の第１及び第２の切欠嵌合部４２１，４２２を、上記ボデー本体１００の第１及び第２の係合突起１２１，１２２のほぼ半分と嵌合させ、仮り止めする。
【００１６】
上記仮り止めと同時に、分割サブシエル４００の後端寄りを閉じ、この後端寄りの概略Ｕ字形の両折返し部４０１，４０２の第１及び第２の係止穴４３１，４３２を、上記分割メインシエル３００の同じく後端寄りの概略Ｕ字形の両折返し部３０１，３０２の第１及び第２の切抜係止爪３３１，３３２にそれぞれ係合させれば、本止めが完了する。
この分割サブシエル４００の仮り止めから本止めに掛けての作業も、概略Ｕ字形として分割サブシエル４００の弾性によって、パチンと嵌まり込む感覚でよく、極めて簡単、かつスムーズに行える。
これによって、分割メインシエル３００及び分割サブシエル４００の両者は、強固に固定されて容易に外れることはない。
ここで、分割メインシエル３００の最後端部に湾曲片の延設挟持部３４０がある場合には、図１５に示すように、ケーブル５００の各芯線５０１部分を、この延設挟持部３４０で包み込みむ。
【００１７】
この後、図１５〜図１８から明らかなように、上記分割メインシエル３００及び分割サブシエル４００の中程からケーブル５００の外皮５０２部分に掛けて、樹脂のモールド工法などによって、外装部６００を形成する。
これによって、本発明の電気コネクタは、完成する。
【００１８】
このような本発明の電気コネクタにおいて、金属製コンタクト２００は、ボデー本体１００内部の所定の位置に収納するのみでよい。
また、ボデー本体１００の樹脂成形にあたっても、先端外周の鍔部１１０に第１〜第４の係合溝１１１〜１１４を形成すると共に、後端寄りに第１及び第２の係合突起１２１，１２２を形成するのみでよい。これらの第１〜第４の係合溝１１１〜１１４と第１及び第２の係合突起１２１，１２２間には穴などの構成部分などは何もなく、ただ単なる平面として、十分な強度を確保してある。
特に、上記第１及び第２の係合溝１１１，１１２と第１及び第２の係合突起１２１，１２２とが同一面上にあっても、上記第１及び第２の係合溝１１１，１１２の溝がボデー本体１００の長手方向に貫通させてあるため、金型の構造上スライド機構を用いる必要がなく、製造が容易に行えるという利点が得られる。
【００１９】
また、分割メインシエル３００の製造にあっても、単なるアルミ板などの打ち抜きや折り曲げ加工のみで、簡単に製造することができる。しかも、その概略Ｕ字形の水平部３０３には、その先端寄りの中央部に半球状突起３５０があるのみで、切り込みなどの穴や爪片などの構成部分は何もないため、大きな強度と、より完全なシールド機能が得られる。
一方、分割サブシエル４００の製造にあっても、やはり単なるアルミ板などの打ち抜きや折り曲げ加工のみで、簡単に製造することができる。しかも、その概略Ｕ字形の水平部４０３には、その先端寄りの中央部に半球状突起４５０があるのみで、切り込みなどの穴や爪片などの構成部分は何もないため、大きな強度と、より完全なシールド機能が得られる。特に、最後端部に当該後端の一部を部分的に塞ぐ蓋部４４１，４４２を折返し片として形成した場合、長手方向に対しても、より良好なシールド機能が得られる。
【００２０】
上記のように完成した本発明の電気コネクタは、例えば図１９に示すように、電子機器８００の基板８０１に取り付けられ、その内部コンタクト７０１を有する開口部７０２が、電子機器８００のパネル８０２の開口部８０３に開口させれた相手コネクタ７００に挿入されるようになっている。
【００２１】
なお、上記各実施の形態では、分割メインシエル３００の後端寄りの概略Ｕ字形の両折返し部３０１，３０２に第１及び第２の切抜係止爪３３１，３３２を形成する一方、分割サブシエル４００の後端寄りの概略Ｕ字形の両折返し部４０１，４０２に上記第１及び第２の切抜係止爪３３１，３３２と係合される第１及び第２の係止穴４３１，４３２を形成する場合であるが、本発明は、これに限定されず、請求項２記載の本発明のように、上記とは逆に、分割メインシエル３００の後端寄りの概略Ｕ字形の両折返し部３０１，３０２に第１及び第２の係止穴を形成する一方、分割サブシエル４００の後端寄りの概略Ｕ字形の両折返し部４０１，４０２に上記第１及び第２の係止穴と係合される第１及び第２の切抜係止爪を形成することもできる。
【００２２】
【発明の効果】
以上の説明から明らかなように、本発明に係る電気コネクタによると、次のような優れた効果が得られる。
（１）先ず、その組み立てが容易に行える。
つまり、金属製コンタクトは、ボデー本体内部の所定の位置に収納するのみでよい。また、分割メインシエル及び分割サブシエルの組み付けも、概略Ｕ字形とする分割メインシエル自体の弾性によって、パチンと嵌まり込む感覚でよく、極めて簡単、かつスムーズに行える。
（２）次に、コネクタとして、十分な強度とシールド機能が得られる。
特に、ボデー本体の構造や、分割メインシエル及び分割サブシエルにおいて、穴などの構成部分などが全くない、広い平面部分を確保して、十分な強度を確保してある。このことによって、分割メインシエル及び分割サブシエルの場合、十分なシールド機能も確保される。
（３）さらに、その製造が容易に行える。
ボデー本体は、簡単な金型の組み付けで製造することが可能である。特に、第１及び第２の係合溝と第１及び第２の係合突起とが同一面上にあっても、第１及び第２の係合溝の溝がボデー本体の長手方向に貫通させてあるため、金型の構造上スライド機構が不要となり、容易な製造が可能となる。
分割メインシエル及び分割サブシエルの製造にあっても、単なるアルミ板などの打ち抜きや折り曲げ加工のみで、簡単に製造することができる。
【図面の簡単な説明】
【図１】    本発明に係る電気コネクタの要部を示した分解斜視図である。
【図２】    本発明に係る電気コネクタのボデー本体の平面図である。
【図３】    本発明に係る電気コネクタのボデー本体の側面図である。
【図４】    本発明に係る電気コネクタのボデー本体の正面図である。
【図５】    本発明に係る電気コネクタのボデー本体の背面図である。
【図６】    本発明に係る電気コネクタのボデー本体の横断面図である。
【図７】    本発明に係る電気コネクタの分割メインシエルの側面図である。
【図８】    本発明に係る電気コネクタの分割メインシエルの底面図である。
【図９】    図７図の矢印Ａ方向から矢視図である。
【図１０】    本発明に係る電気コネクタの分割サブシエルの側面図である。
【図１１】    本発明に係る電気コネクタの分割サブシエルの底面図である。
【図１２】    図１０図の矢印Ｂ方向から矢視図である。
【図１３】    本発明に係る電気コネクタの組み付け途中の状態を示した側面図である。
【図１４】    本発明に係る電気コネクタの組み付け途中の状態を示した平面図である。
【図１５】    本発明に係る電気コネクタの組み付け完了状態を示した横断面図である。
【図１６】    本発明に係る電気コネクタの組み付け完了状態を示した平面図である。
【図１７】    本発明に係る電気コネクタの組み付け完了状態を示した底面図である。
【図１８】    本発明に係る電気コネクタの組み付け完了状態を示した側面図である。
【図１９】    本発明に係る電気コネクタの使用状態の一例を示した斜視図である。
【符号の説明】
１００                  ボデー本体
１１０                  鍔部
１１１，１１２          第１及び第２の係合溝
１１３，１１４          第３及び第４の係合溝
１２１，１２２          第１及び第２の係合突起
１３０                  相手コネクタ用の挿入口
１４０                  延設肉薄部
２００                  金属製コンタクト
３００                  分割メインシエル
３０１，３０２          概略Ｕ字形の両折返し部
３０３                  概略Ｕ字形の水平部
３１１，３１２          第１及び第２の嵌合片
３１３                  第３の嵌合片
３２１，３２２          第１及び第２の切欠嵌合部
３３１，３３２          第１及び第２の切抜係止爪
４００                  分割サブシエル
４０１，４０２          概略Ｕ字形の両折返し部
４０３                  概略Ｕ字形の水平部
４１１，４１２          第１及び第２の嵌合片
４１４                  第４嵌合片
４２１，４２２          第１及び第２の切欠嵌合部
４３１，４３２          第１及び第２の係止穴
Ｓ                      収納スペース
【図１】
0003779413.tif 000002
【図２】
0003779413.tif 000003
【図３】
0003779413.tif 000004
【図４】
0003779413.tif 000005
【図５】
0003779413.tif 000006
【図６】
0003779413.tif 000007
【図７】
0003779413.tif 000008
【図８】
0003779413.tif 000009
【図９】
0003779413.tif 000010
【図１０】
0003779413.tif 000011
【図１１】
0003779413.tif 000012
【図１２】
0003779413.tif 000013
【図１３】
0003779413.tif 000014
【図１４】
0003779413.tif 000015
【図１５】
0003779413.tif 000016
【図１６】
0003779413.tif 000017
【図１７】
0003779413.tif 000018
【図１８】
0003779413.tif 000019
【図１９】
0003779413.tif 000020